(57)【要約】【課題】アンテナの指向面を正確に事前に定めた目標物に向けることを可能とし、また短時間にアンテナ方向の調整を行なうことを可能とする。【解決手段】アンテナ方向調整用治具５の板状の治具本体１に取付用穴２を設け、取付用穴２の円形穴部２ａの径をアンテナ取付金具に取り付けられた固定ボルトの頭部が通過可能な大きさとし、取付用穴２の長穴部２ｂの径（幅）を固定ボルトのネジ部の径とほぼ等しくし、治具本体１の端部を丸めて覗き穴３を設け、覗き穴３の中心線を治具本体１と平行とし、治具本体１に２つの落下防止具取付穴４を設ける。【選択図】        図１
2004221917.tif 000002
【特許請求の範囲】
【請求項１】
板状の治具本体に取付用穴を設け、上記治具本体に中心線が上記治具本体に平行な覗き穴を設けたことを特徴とするアンテナ方向調整用治具。
【請求項２】
板状の治具本体に取付用穴を設け、上記治具本体に中心線が上記治具本体に平行な覗き穴を設けたアンテナ方向調整用治具を使用するアンテナ方向調整方法であって、設置部材に回転可能にアンテナ取付金具を取り付け、上記取付用穴に上記アンテナ取付金具に取り付けられた突起物を挿入し、上記覗き穴から覗きながら上記アンテナ取付金具を上記設置部材に対して回転し、上記覗き穴から事前に定めた目標物を目視で捕捉することを特徴とするアンテナ方向調整方法。
【発明の詳細な説明】
【０００１】
【発明の属する技術分野】
本発明は基地局アンテナ等のアンテナの方向を調整するために使用するアンテナ方向調整用治具および上記アンテナ方向調整用治具を使用するアンテナ方向調整方法に関するものである。
【０００２】
【従来の技術】
従来、加入者局と基地局との間で無線通信を行なう固定無線アクセスシステム（ＦＷＡシステム）の基地局に用いる指向性アンテナすなわち基地局アンテナのアンテナ方向の調整を行なうには、パラボラアンテナ等のアンテナ形状から指向性方向を把握して、基地局アンテナの指向面を１／２５０００地形図等を利用して事前に定めた目標物に向けるのが一般的である。
【０００３】
また、基地局アンテナがレドーム等で保護されているときには、アンテナ形状からは基地局アンテナの指向性方向を把握することができない。そこで、基地局アンテナ、アンテナ取付金具等に指向性方向を示す印を付けて、基地局アンテナの指向面を目標物に向けている。
【０００４】
【発明が解決しようとする課題】
しかし、従来の方式では、事前に定めた目標物に基地局アンテナの指向性方向を正確に合わせることが困難であり、また基地局アンテナのアンテナ方向の調整に多くの時間を要する。
【０００５】
本発明は上述の課題を解決するためになされたもので、アンテナの指向面を正確に事前に定めた目標物に向けることができ、また短時間にアンテナ方向の調整を行なうことができるアンテナ方向調整用治具およびアンテナ方向調整方法を提供することを目的とする。
【０００６】
【課題を解決するための手段】
この目的を達成するため、本発明においては、アンテナ方向調整用治具において、板状の治具本体に取付用穴を設け、上記治具本体に中心線が上記治具本体に平行な覗き穴を設ける。
【０００７】
また、アンテナ方向調整方法においては、板状の治具本体に取付用穴を設け、上記治具本体に中心線が上記治具本体に平行な覗き穴を設けたアンテナ方向調整用治具を使用するアンテナ方向調整方法であって、設置部材に回転可能にアンテナ取付金具を取り付け、上記取付用穴に上記アンテナ取付金具に取り付けられた突起物を挿入し、上記覗き穴から覗きながら上記アンテナ取付金具を上記設置部材に対して回転し、上記覗き穴から事前に定めた目標物を目視で捕捉する。
【０００８】
【発明の実施の形態】
図１は本発明に係るアンテナ方向調整用治具を示す斜視図である。図に示すように、アンテナ方向調整用治具５の板状の治具本体１に取付用穴２が設けられ、取付用穴２の円形穴部２ａの径は固定ボルト１５（説明後述）の頭部が通過可能な大きさであり、また取付用穴２の長穴部２ｂの径（幅）は固定ボルト１５のネジ部の径とほぼ等しい。また、治具本体１の端部を丸めて覗き穴３が設けられ、覗き穴３の中心線は治具本体１と平行である。また、治具本体１に２つの落下防止具取付穴４が設けられている。
【０００９】
つぎに、本発明に係るアンテナ方向調整方法、すなわち図１に示したアンテナ方向調整用治具の使用方法を説明する。まず、図２、図３に示すように、アンテナ取付金具１２にレドームで保護された基地局アンテナ２１を取り付ける。この場合、アンテナ取付金具１２に付けられた印（図示せず）と基地局アンテナ２１に付けられた印（図示せず）とを合わせる。つぎに、支持ポール１１に支持ポール１１の中心線を中心として回転可能にアンテナ取付金具１２を取り付ける。そして、アンテナ取付金具１２には取付用ナット１７、１８が固定され、取付用ナット１７、１８の中心線とアンテナ取付金具１２に設けられたボルト貫通穴（図示せず）の中心線とが一致している。また、取付用ナット１７、１８に固定ボルト１５、１６が螺合し、固定ボルト１５、１６に固定ナット１３、１４が螺合している。そして、アンテナ取付金具１２に取り付けられた固定ボルト１５の中心線はアンテナ取付金具１２に取り付けられた基地局アンテナ２１の指向面と平行である。つぎに、取付用穴２に固定ボルト１５を挿入し、治具本体１を取付用ナット１７と固定ナット１３とで挟んだ状態として、アンテナ方向調整用治具５を固定ボルト１５に係合する。この場合、固定ボルト１５の中心線を中心にアンテナ方向調整用治具５を回動することができるようにする。つぎに、覗き穴３から覗きながらアンテナ取付金具１２および基地局アンテナ２１を支持ポール１１に対して回転し、覗き穴３から１／２５０００地形図等を利用して事前に定めた目標物を目視で捕捉する。この場合、目標物が水平方向にはない場合には、固定ボルト１５の中心線を中心にアンテナ方向調整用治具５を回動する。つぎに、固定ボルト１６を締め付けたのち、固定ボルト１５からアンテナ方向調整用治具５を取り外し、固定ボルト１５を締め付けることにより、アンテナ取付金具１２を支持ポール１１に固定する。この場合、固定ボルト１５の中心線はアンテナ取付金具１２に取り付けられた基地局アンテナ２１の指向面と平行であるから、固定ボルト１５の中心線を中心にアンテナ方向調整用治具５を回動したときの覗き穴３の中心線の軌跡面と基地局アンテナ２１の指向面とが直角になるので、基地局アンテナ２１の指向面は目標物に向いていることになる。
【００１０】
このアンテナ方向調整用治具、アンテナ方向調整方法においては、覗き穴３から目標物を目視で捕捉したのち、アンテナ取付金具１２を支持ポール１１に固定するから、基地局アンテナ２１の指向面を正確に目標物に向けることができる。また、覗き穴３から目標物を目視で捕捉すれば、基地局アンテナ２１の指向面は目標物に向いていることになり、簡単な手順で基地局アンテナ２１のアンテナ方向の調整が可能となるから、短時間にアンテナ方向の調整を行なうことができる。特に、基地局アンテナ２１がレドームで保護され、外観からは基地局アンテナ２１のアンテナ指向性方向が把握できない場合にも、アンテナ方向の調整を簡易に、短時間にかつ正確に行なうことができる。また、アンテナ方向調整用治具５は極めてシンブルな構造であるから、低コストで製作が可能である。また、覗き穴３から目標物を目視で捕捉したのち、固定ボルト１６を締め付け、固定ボルト１５からアンテナ方向調整用治具５を取り外し、固定ボルト１５を締め付けることにより、アンテナ取付金具１２を支持ポール１１に固定するから、複数の基地局があったとしても、１つのアンテナ方向調整用治具５を用意すれば繰り返して使用することが可能である。また、目標物が水平方向にはない場合であっても、固定ボルト１５の中心線を中心にアンテナ方向調整用治具５を回動することにより、覗き穴３から目標物を目視で捕捉することができるから、目標物が極端な上方向や下方向にあっても、覗き穴３から目標物を目視で捕捉することができる。また、落下防止具取付穴４が設けられているから、落下防止具取付穴４に紐等の落下防止具の一端を取り付け、落下防止具の他端を作業員の身体に取り付けることにより、作業時のアンテナ方向調整用治具５自体の落下を防ぐことが可能である。
【００１１】
なお、上述実施の形態においては、固定無線アクセスシステムの基地局に用いる基地局アンテナ２１のアンテナ方向を調整する場合について説明したが、他のアンテナのアンテナ方向を調整する場合にも本発明を適用することができる。また、上述実施の形態においては、レドームで保護されて外観からはアンテナ指向性方向が把握できない基地局アンテナ２１のアンテナ方向を調整する場合について説明したが、外観からアンテナ指向性方向が把握できるアンテナのアンテナ方向を調整する場合にも本発明を適用することができる。また、上述実施の形態においては、固定ボルト１５をアンテナ取付金具に取り付けられた突起物とし、固定ボルト１５にアンテナ方向調整用治具５を係合したが、アンテナ取付金具に固定ボルト以外の突起物を設け、この突起物にアンテナ方向調整用治具５を係合してもよい。この場合、突起物の中心線をアンテナ取付金具に取り付けられたアンテナの指向面と平行とする。また、上述実施の形態においては、支持ポール１１に基地局アンテナ２１を取り付ける場合について説明したが、他の設置部材にアンテナを取り付ける場合にも本発明を適用することができる。また、上述実施の形態においては、アンテナ取付金具１２に基地局アンテナ２１を取り付けたのちに、アンテナ取付金具１２を支持ポール１１に固定したが、アンテナ取付金具の方向性を定めてアンテナ取付金具を設置部材に固定したのちに、アンテナ取付金具にアンテナを取り付けてもよい。
【００１２】
【発明の効果】
本発明に係るアンテナ方向調整用治具、アンテナ方向調整方法においては、覗き穴から事前に定めた目標物を目視で捕捉したのち、アンテナ取付金具を設置部材に固定するから、アンテナの指向面を正確に目標物に向けることができる。また、覗き穴から目標物を目視で捕捉すれば、アンテナの指向面は目標物に向いていることになるから、短時間にアンテナ方向の調整を行なうことができる。
【図面の簡単な説明】
【図１】本発明に係るアンテナ方向調整用治具を示す斜視図である。
【図２】本発明に係るアンテナ方向調整方法の説明図である。
【図３】本発明に係るアンテナ方向調整方法の説明図である。
【符号の説明】
１…治具本体
２…取付用穴
３…覗き穴
５…アンテナ方向調整用治具
１１…支持ポール
１２…アンテナ取付金具
１５…固定ボルト
２１…基地局アンテナ
【図１】
2004221917.tif 000003
【図２】
2004221917.tif 000004
【図３】
2004221917.tif 000005